(57)【要約】【課題】延長管（吸引パイプ）の係止構造が掃除機本体から突出せず、意匠性を損なわないとともに、掃除機本体の重量の増加を抑制する電気掃除機を提供する。【解決手段】吸引風を発生する電動送風機１８を内蔵する掃除機本体６と、掃除機本体６の上部に前後方向に設けられ、後端が掃除機本体６の後端に固定されるハンドル２０と、電動送風機１８が発生する吸引風路の一部をなし、一端側が吸込口体２と接続され、他端側が掃除機本体６と接続される吸引パイプ３と、を備え、吸引パイプ３の外周に先端が吸込口体２側に延設される鉤形状の係止部３ａを形成し、ハンドル２０の後端上面に、吸引パイプ３の係止部３ａが係止される凹部２０ｅを有する被係止部２０ｄを形成した。【選択図】          図１２
2016195632.tif 000002
【特許請求の範囲】
【請求項１】
吸引風を発生する電動送風機を内蔵する掃除機本体と、
前記掃除機本体の上部に前後方向に設けられ、後端が前記掃除機本体の後端に固定されるハンドルと、
前記電動送風機が発生する吸引風路の一部をなし、一端側が吸込口体と接続され、他端側が前記掃除機本体と接続される吸引パイプと、を備え、
前記吸引パイプの外周に先端が前記吸込口体側に延設される鉤形状の係止部を形成し、
前記ハンドルの後端上面に、前記吸引パイプの係止部が係止される凹部を有する被係止部を形成した電気掃除機。
【請求項２】
前記ハンドルが、前記掃除機本体の上部の左右方向の中央に設けられることを特徴とする請求項１記載の電気掃除機。
【請求項３】
前記ハンドルはカバー部材と受け部材とから構成されることを特徴とする請求項１または請求項２記載の電気掃除機。
【請求項４】
前記被係止部の凹部は下方に向かって先細りのテーパー形状をなし、前側の内壁が垂直方向に対し前方に傾斜することを特徴とする請求項１から請求項３のいずれか１項に記載の電気掃除機。
【請求項５】
前記被係止部の凹部は、前側の内壁の高さが後側の内壁の高さよりも高いことを特徴とする請求項１から請求項４のいずれか１項に記載の電気掃除機。
【発明の詳細な説明】
【技術分野】
【０００１】
この発明は電気掃除機に係り、特に、掃除中の掃除作業の一時中断や掃除終了後、吸込具と吸引パイプの不使用時に、吸込具と吸引パイプを掃除機本体に係止する電気掃除機に関するものである。
【背景技術】
【０００２】
従来、掃除機本体の後部には、掃除機本体から掃除機本体の後方に向かって延設されており、吸込具または延長管の不使用時に、吸込具または延長管が係止される本体係止部が設けられていた（特許文献１参照）。
【先行技術文献】
【特許文献】
【０００３】
【特許文献１】特開２０１４−１１３３９２
【発明の概要】
【発明が解決しようとする課題】
【０００４】
上記の電気掃除機においては，吸込具や延長管の本体係止部が本体から突出して形成されており、意匠性を損なう虞があった。また、突出する本体係止部により重量増加の一因となっていた。
【０００５】
本発明は、上記の問題を解決するためになされたもので、延長管（吸引パイプ）の係止構造が掃除機本体から突出せず、意匠性を損なわないとともに、掃除機本体の重量の増加を抑制する電気掃除機を提供することを目的とする。
【課題を解決するための手段】
【０００６】
この発明に係わる電気掃除機は、吸引風を発生する電動送風機を内蔵する掃除機本体と、掃除機本体の上部に前後方向に設けられ、後端が掃除機本体の後端に固定されるハンドルと、電動送風機が発生する吸引風路の一部をなし、一端側が吸込口体と接続され、他端側が掃除機本体と接続される吸引パイプと、を備え、吸引パイプの外周に先端が吸込口体側に延設される鉤形状の係止部を形成し、ハンドルの後端上面に、吸引パイプの係止部が係止される凹部を有する被係止部を形成したものである。
【発明の効果】
【０００７】
この発明によれば、ハンドルの後端上面に凹部をなす被係止部を形成したので、吸引パイプを係止する構造が掃除機本体から突出せず、意匠性を損なわず、重量の増加を抑制できる。
【図面の簡単な説明】
【０００８】
【図１】この発明の実施の形態１における電気掃除機の全体斜視図である。
【図２】この発明の実施の形態１における電気掃除機の掃除機本体の側面図である。
【図３】この発明の実施の形態１における電気掃除機の掃除機本体の後方から見た斜視図である。
【図４】この発明の実施の形態１における電気掃除機の掃除機本体の平面図である。
【図５】この発明の実施の形態１における電気掃除機の本体の縦断面図である。
【図６】この発明の実施の形態１における電気掃除機の第１収容ユニットと第２収容ユニットとの斜視図である。
【図７】この発明の実施の形態１における電気掃除機の集塵ユニットの斜視図である。
【図８】この発明の実施の形態１における電気掃除機の第１収容ユニットと第２収容ユニットと集塵ユニットとの斜視図である。
【図９】本発明の実施の形態１における電気掃除機の吸引パイプの斜視図である。
【図１０】本発明の実施の形態１における電気掃除機の掃除機本体に吸引パイプを係止した状態の側面図である。
【図１１】本発明の実施の形態１における電気掃除機のハンドルの分解斜視図である。
【図１２】本発明の実施の形態１における電気掃除機の掃除機本体に吸引パイプを係止した状態の側面断面図である。
【図１３】図１２のＡ部拡大図であり、この発明の要部構成である被係止部の形状を説明する図である。
【図１４】図１２のＡ部拡大図であり、この発明の要部構成である被係止部の形状を説明する図である。
【発明を実施するための形態】
【０００９】
実施の形態１．
図１は、本発明の実施の形態１における電気掃除機の全体斜視図である。図２は、本発明の実施の形態１における電気掃除機の掃除機本体の側面図である。図３は、本発明の実施の形態１における電気掃除機の掃除機本体の後方から見た斜視図である。図４は、本発明の実施の形態１における電気掃除機の掃除機本体の平面図である。図５は、この発明の実施の形態１における電気掃除機の本体の縦断面図である。図６は、この発明の実施の形態１における電気掃除機の第１収容ユニットと第２収容ユニットとの斜視図である。図７は、この発明の実施の形態１における電気掃除機の集塵ユニットの斜視図である。図８は、この発明の実施の形態１における電気掃除機の第１収容ユニットと第２収容ユニットと集塵ユニットとの斜視図である。図９は、本発明の実施の形態１における電気掃除機の吸引パイプの斜視図である。図１０は、本発明の実施の形態１における電気掃除機の掃除機本体に吸引パイプを係止した状態の側面図である。図１１は、本発明の実施の形態１における電気掃除機のハンドルの分解斜視図である。図１２は、本発明の実施の形態１における電気掃除機の掃除機本体に吸引パイプを係止した状態の側面断面図である。図１３及び図１４は、それぞれ図１２のＡ部拡大図であり、この発明の要部構成である被係止部の形状を説明する図である。なお、各図において同じ部分にはこれと同じ符号を付している。
【００１０】
図１に示すように、電気掃除機１は、吸込口体２と吸引パイプ３と接続パイプ４とサクションホース５と本体６と取っ手７と操作スイッチ８とを備える。吸込口体２、吸引パイプ３、接続パイプ４、サクションホース５及び掃除機本体６は互いに接続され、掃除機本体６に内蔵される電動送風機１０が発生する吸引風の風路を構成する。
【００１１】
吸込口体２は、開口２ａ（図８参照）を備える。開口２ａは、下方を向く。開口２ａから、被清掃面である床面や絨毯等の上の塵埃を空気と一緒に吸い込む。吸込口体２は、左右の長手方向中央部に、吸引パイプ３側と連通する接続部２ｂを備えている。吸引パイプ３は、円筒状の真直ぐな部材で形成される。吸引パイプ３は、伸縮自在に形成される。吸引パイプ３の吸気側の一端部は、吸込口体２の接続部２ｂに接続される。
【００１２】
接続パイプ４は、途中で折れ曲がった円筒状の部材で形成される。接続パイプ４の吸気側の一端部は、吸引パイプ３の他端部に接続される。接続パイプ４の排気側の端部がサクションホース５と接続される。サクションホース５は、蛇腹状の細長い部材で形成される。サクションホース５の一端部は、接続パイプ４の他端部に接続される。
【００１３】
掃除機本体６の前部は、サクションホース５の他端部に接続される。
【００１４】
取っ手７は、接続パイプ４に設けられる。電気掃除機１の使用者は取っ手７把持して、吸込口体２を移動させる。操作スイッチ８は、取っ手７に設けられる。操作スイッチ８は、複数のボタンを備える。
【００１５】
図２と図３とに示すように、掃除機本体６は、第１収容ユニット９と第２収容ユニット１０と集塵ユニット１１と一対の車輪１２と電源コード１３とを備える。
【００１６】
第１収容ユニット９は、掃除機本体６の外郭の前部を形成する。第２収容ユニット１０は、掃除機本体６の外郭の後部を形成する。第２収容ユニット１０の前部は、第１収容ユニット９の後部に連結される。集塵ユニット１１は、第１収容ユニット９に着脱自在に設けられる。車輪１２の一方は、第２収容ユニット１０の一側に設けられる。車輪１２の他方は、第２収容ユニット１０の他側に設けられる。電源コード１３は、第２収容ユニット１０に収容される。
【００１７】
図５に示すように、第１収容ユニット９は、吸気風路形成部１４を備える。吸気風路形成部１４は、吸気風路１５を形成する。吸気風路１５は、円形の断面の内周面を有する。吸気風路形成部１４の一端部は、前方に向けて開口する。当該開口は、円形状に形成される。吸気風路形成部１４の一端部は、サクションホース５（図５においては図示せず）の他端部に接続される。吸気風路形成部１４の一他端部は、後方に向けて開口する。当該開口は、円形状に形成される。
【００１８】
第２収容ユニット１０は、排気風路形成部１６を備える。排気風路形成部１６は、排気風路１７を形成する。排気風路形成部１６の一端部は、前方に向けて開口する。第２収容ユニット１０は、電動送風機１８を収容する。電動送風機１８は、排気風路１７に設けられる。
【００１９】
電源コード１３が電源に接続されると、電動送風機１８等の機器が通電する。この際、操作スイッチ８が操作されると、電動送風機１８は、吸引風を発生させる。当該吸引風により、床面上の塵埃は、空気とともに吸込口体２の開口に吸い込まれる。その後、塵埃を含む空気（含塵空気）は、吸引パイプ３の内部と接続パイプ４の内部とサクションホース５の内部とを通過する。
【００２０】
その後、当該含塵空気は、吸気風路１５を通過する。その後、当該含塵空気は、集塵ユニット１１に到達する。この際、集塵ユニット１１は、サイクロン分離機能を発揮する。その結果、集塵ユニット１１の内部において、当該含塵空気は、旋回する。この際、塵埃は、遠心力により当該含塵空気から分離する。その後、当該塵埃は、集塵ユニット１１に一時的に溜められる。
【００２１】
集塵ユニット１１は、塵埃が取り除かれた清浄空気を排出する。その後、当該清浄空気は、排気風路１７において電動送風機１８を通過する。その後、当該清浄空気は、排気風路１７を進む。その後、当該清浄空気は、排気口（図示せず）から本体６の外部に排出される。
【００２２】
次に、図６から図８を用いて、集塵ユニット１１の取り付けを説明する。
図６はこの発明の実施の形態１における電気掃除機の第１収容ユニットと第２収容ユニットとの斜視図である。図７はこの発明の実施の形態１における電気掃除機の集塵ユニットの斜視図である。図８はこの発明の実施の形態１における電気掃除機の第１収容ユニットと第２収容ユニットと集塵ユニットとの斜視図である。図８はこの発明の実施の形態１における電気掃除機の第１収容ユニットと第２収容ユニットと集塵ユニットとの縦断面図である。
【００２３】
図６に示すように、第１収容ユニット９は、収容部１９を備える。収容部１９は、円筒状に形成される。収容部１９は、上方に向けて開口する。収容部１９は、下方に向けて開口しない。収容部１９の軸は、下方から上方に行くにつれて後方の側に傾斜する。
【００２４】
掃除機本体６の第２収容ユニット１０には、ハンドル２０を備える。ハンドル２０は、掃除機本体６の上部に前後方向に設けられ、後端が掃除機本体６の後端に固定される。ハンドル２０は、第２収容ユニット１０の幅方向における中央部（掃除機本体６の上部の左右方向の中央）に設けられる。ハンドル２０は、第２収容ユニットの前方から後方（掃除機本体６の後端方向）にわたって設けられる。ハンドル２０の後端２０ａの下部が掃除機本体６の後端６ａの上部に固定される。また、ハンドル２０の後端２０ａは掃除機本体６の後端６ａと垂直方向にほぼ面一に形成される。
【００２５】
ハンドル２０は、ガイド部２１を備える。ガイド部２１は、ハンドル２０の前部に形成される。ガイド部２１は、収容部１９の内面に沿って収容部１９の上方に配置される。ガイド部２１は、下方から上方に行くにつれて後方の側に傾斜する。ガイド部２１は、集塵ユニット１１（図５においては図示せず）における第２収容ユニット１０の側に面に合わせて形成される。
【００２６】
図７に示すように、集塵ユニット１１は、持ち手２２を備える。持ち手２２は、集塵ユニット１１の上部に設けられる。持ち手２２は、集塵ユニット１１の上部から側方に突き出す。
【００２７】
図７に示すように、使用者は、持ち手２２を掴んで集塵ユニット１１を収容部１９に収容する。
【００２８】
このとき、図５に示すように、持ち手２２は、ガイド部２１とは反対側に配置される。持ち手２２は、ガイド部２１とは反対側に突き出す。使用者は、集塵ユニット１１における第２収容ユニット１０の側をガイド部２１に沿って集塵ユニット１１を下方に移動させる。その結果、集塵ユニット１１は、収容部１９に円滑に挿入される。
【００２９】
図９に示すように、吸引パイプ３は、その外周に、先端が吸込口体２側（図６では下方側）に延設される鉤形状の係止部３ａが形成される。係止部３ａは、図１０及び図１２に示すように、左右方向に横長の吸込口体２に対し直交する側で、かつ吸込口体２の後方側の吸引パイプ３の外周に形成されるのが望ましい。このように形成することにより、吸引パイプ３を掃除機本体６に係止するときに、吸込口体２の前端部が吸引パイプ３と干渉することを防止できる。
【００３０】
図９に示すように、係止部３ａは、外側の外壁部３ｂと、吸引パイプ３の外周と対向する側の内壁部３ｃと、係止部３ａの下方の先端側に底壁部３ｄとを有する。係止部３ａは吸引パイプ３の中心軸と略平行に形成される。また、係止部３ａは、先端方向に向かうにつれて先細りのテーパー形状をなす。係止部３ａは先細りのテーパー形状をなすので、後述するハンドル２０の後端上面に形成される被係止部２０ｄである凹部２０ｅへ吸引パイプ３の係止部３ａを差し込みやすくなる。また、係止部３ａには、支え部３ｅが吸引パイプ３の外周と係止部３ａの内壁部３ｃ側とを接続するように形成される。支え部３ｅにより係止部３ａの強度が向上する。
【００３１】
図２から図４に示すように、ハンドル２０の後端２０ａの上面に、吸引パイプ３の係止部３ａが係止される凹部２０ｅを有する被係止部２０ｄが形成される。図１０及び図１２に示すように、吸引パイプ３の係止部３ａをハンドル２０の被係止部２ｄの凹部２０ｅに差し込むことにより、吸引パイプ３が吸込口体２とともに掃除機本体６に係止される。このように、吸引パイプ３を係止する構造が掃除機本体６から突出せず、意匠性を損なわず、重量の増加を抑制できる。また、被係止部２０ｄはハンドル２０の後端上面に形成されるので、掃除機本体６に形成される場合と比較して被係止部２０ｄが上方に配置され、使用者は吸引パイプ３を掃除機本体６に係止する位置を視認しやすく、吸引パイプ３を掃除機本体６に容易に固定できる。
【００３２】
また、係止部３ａは、吸引パイプ３を略垂直に立てて、吸引パイプ３の係止部３ａをハンドル２０の被係止部２０ｄに差し込んだ状態で、吸込口体２の底面が床面に当接する位置に形成することが望ましい。吸込口体２の底面が床面に当接する位置に係止部３ａを吸引パイプ３の外周に形成すると、吸引パイプ３、吸込口体２、接続パイプ４及びサクションホース５の荷重を床面が受けるので、ハンドル２０の被係止部２０ｄが吸引パイプ３の係止部３ａから受ける荷重が小さくなり、係止部３ａ及び被係止部２０ｄの構造の強度を高く設計する必要がなく、軽量化につながる。
【００３３】
また、係止部３ａは、吸引パイプ３を略垂直に立てて、吸引パイプ３の係止部３ａをハンドル２０の被係止部２０ｄに差し込んだ状態で、吸込口体２の底面が床面から浮く位置に形成してもよい。吸込口体２の底面に付着した塵埃が床面に触れることがなく、衛生的である。この場合は、図１２に示すように、車輪１２を支点とし、被係止部２０ｄが力点となるので、車輪１２の支点を回転中心として時計回り方向のモーメントが作用し、掃除機本体６の前部が浮き上がる場合がある。したがって、掃除機本体６の前部が浮き上がらないように、掃除機本体６の重心を前方に配置するように設計する必要がある。
【００３４】
図１１に示すように、ハンドル２０は、上部を構成するカバー部材２０ｂと、下部を構成する受け部材２０ｃから構成される。このように構成することにより、凹部２０ｅを有するハンドル２０を少ない部品点数で形成できる。また、吸引パイプ３の係止部３ａがハンドル２０の被係止部２０ｄに及ぼす荷重の分布により、カバー部材２０ｂと受け部材２０ｃの材料を適切に選択できる。例えば、吸引パイプ３の係止部３ａの上部がハンドル２０の被係止部２０ｄに及ぼす荷重が大きい場合は、カバー部材２０ｂを高い強度を有する材料で構成すればよく、設計の自由度が増す。
【００３５】
図１３に示すように、ハンドル２０に形成される被係止部２０ｄの凹部２０ｅは下方に向かって先細りのテーパー形状をなし、凹部２０ｅの前側の内壁である前壁２０ｅ１は、垂直方向に対し前方にθ°傾斜する。このように構成することにより、吸引パイプ３を凹部２０ｅに挿入した際、吸引パイプ３も前方に傾斜する。したがって、吸引パイプ３に接続された吸込口体２が掃除機本体６の後部に当らず、掃除機本体６が前方に移動してしまうことがなく、吸引パイプ３を掃除機本体６に容易に固定できる。
【００３６】
また、図１２に示すように、係止部３ａは、吸引パイプ３を略垂直に立てて、吸引パイプ３の係止部３ａをハンドル２０の被係止部２０ｄに差し込んだ状態で、吸引パイプ３は上方に向かって前方に傾斜するようにハンドル部２０へ係止することが望ましい。このように係止することにより、吸引パイプ３の下端と掃除機本体６の後端６ａとの間の間隔を確保しやすくなり、吸込口体２の後端が掃除機本体６の後端６ａと干渉するのを防止できる。
【００３７】
図１４に示すように、ハンドル２０に形成される被係止部２０ｄの凹部２０ｅは、前側の内壁である前壁２０ｅ１の高さＨｆが、後側の内壁である後壁２０ｅ２の高さよりも高くなるように形成される。このように構成することにより、吸引パイプ３をハンドル２０に係止する際、吸引パイプ３の係止部３ａの外側壁部である外壁部３ｂが、ハンドル２０の被係止部２０ｄの凹部２０ｅの前側の内壁である前壁２０ｅ１と当接しながら吸引パイプ３の係止部３ａをハンドル２０の被係止部２０ｄである凹部２０ｅにガイドする。したがって、吸引パイプ３を掃除機本体６に容易に固定できる。
【００３８】
また、係止部３ａの下端である底壁部３ｄが被係止部２０ｄの凹部２０ｅの底面に当接するように、係止部３ａの鉤状部の寸法と凹部２０ｅの後壁２０ｅ２の高さＨｂとを設定することが望ましい。係止部３ａの荷重を凹部２０ｅの底面で受けるので、荷重を受ける強度を確保しやすい。
【００３９】
このように、実施の形態１の電気掃除機によれば、吸引風を発生する電動送風機を内蔵する掃除機本体と、掃除機本体の上部に前後方向に設けられ、後端が掃除機本体の後端に固定されるハンドルと、電動送風機が発生する吸引風路の一部をなし、一端側が吸込具と接続され、他端側が前記掃除機本体と接続される吸引パイプと、を備え、吸引パイプの外周に先端が吸込具側に延設される鉤形状の係止部を形成し、ハンドルの後端上面に、吸引パイプの係止部が係止される凹部を有する被係止部を形成したので、吸引パイプを係止する構造が掃除機本体から突出せず、意匠性を損なわず、重量の増加を抑制できる。また、被係止部はハンドルの後端上面に形成されるので、掃除機本体に形成される場合と比較して被係止部が上方に配置され、使用者は吸引パイプを掃除機本体に係止する位置を視認しやすく、吸引パイプを掃除機本体に容易に固定できる。
【００４０】
また、ハンドルが、前記掃除機本体の上部の左右方向の中央に設けられるので、ハンドルを把持して掃除機本体を持ち運ぶときに、左右方向の重量バランスがとれており、安定して持ち運びできる。さらに、吸引パイプの係止部をハンドルの被係止部に差し込んだ状態で、吸引パイプの荷重が掃除機本体の左右方向においてほぼ中央にかかるので、掃除機本体が左右方向に倒れることを抑制できる。
【００４１】
また、ハンドルはカバー部材と受け部材とから構成されるので、少ない部品点数でハンドルを形成できる。また、吸引パイプの重量により、吸引パイプの係止部がハンドルの被係止部に及ぼす荷重の分布により、カバー部材と受け部材の材料を適切に選択できる。例えば、吸引パイプの係止部の上部がハンドルの被係止部に及ぼす荷重が大きい場合は、カバー部材を高い強度を有する材料で構成すればよい。
【００４２】
また、被係止部の凹部は下方に向かって先細りのテーパー形状をなし、前側の内壁が垂直方向に対し前方に傾斜するので、吸引パイプを凹部に挿入した際、吸引パイプも前方に傾斜する。したがって、吸引パイプに接続された吸込口体が掃除機本体の後部に当らず、掃除機本体が前方に移動してしまうことがなく、吸引パイプを掃除機本体に容易に固定できる。
【００４３】
また、被係止部の凹部は、前側の内壁の高さが後側の内壁の高さよりも高いので、吸引パイプをハンドルに係止する際、吸引パイプの係止部の外側壁部がハンドルの被係止部の凹部の前側の内壁と当接しながら吸引パイプの係止部をハンドルの被係止部にガイドする。したがって、吸引パイプを掃除機本体に容易に固定できる。
【符号の説明】
【００４４】
１  電気掃除機、
２  吸込口体、２ａ  開口、２ｂ  接続部、
３  吸引パイプ、３ａ  係止部、３ｂ  外壁部、３ｃ  内壁部、３ｄ  底壁部、３ｅ  支え部、
４  接続パイプ、４ａ  把持部、４ｂ  操作部、
５  サクションホース、
６  掃除機本体、６ａ  後端、
７  取っ手、
８  操作スイッチ、
９  第１収容ユニット、
１０  第２収容ユニット、
１１  集塵ユニット、
１２  車輪、
１３  電源コード、
１４  吸気風路形成部、
１５  吸気風路、
１６  排気風路形成部、
１７  排気風路、
１８  電動送風機、
１９  収容部、
２０  ハンドル、２０ａ  後端、２０ｂ  カバー部材、２０ｃ  受け部材、２０ｄ  被係止部、２０ｅ  凹部。２０ｅ１  前壁、２０ｅ２  後壁、
２１  ガイド部、
２２  持ち手。
【図１】
2016195632.tif 000003
【図２】
2016195632.tif 000004
【図３】
2016195632.tif 000005
【図４】
2016195632.tif 000006
【図５】
2016195632.tif 000007
【図６】
2016195632.tif 000008
【図７】
2016195632.tif 000009
【図８】
2016195632.tif 000010
【図９】
2016195632.tif 000011
【図１０】
2016195632.tif 000012
【図１１】
2016195632.tif 000013
【図１２】
2016195632.tif 000014
【図１３】
2016195632.tif 000015
【図１４】
2016195632.tif 000016